(57)【要約】      （修正有）【課題】簡易な構成のために製造が容易であり、帯状体を極めて容易にまとめて堅固に保持しておくことが可能な帯状体保持具を提供する。【解決手段】少なくとも１対の平行な巻取用芯部１１を有する本体１０と、本体に取り付けられ、巻取用芯部の延在方向に沿った方向に延びる保持ベルト２０と、を有する。また、１対の平行な第１巻取用芯部１１と、第１巻取用芯部の延在方向と直交する方向に延在する１対の平行な第２巻取用芯部１２と、を有する本体１０と、本体に取り付けられ、第１巻取用芯部又は第２巻取用芯部の延在方向に沿った方向に延びる保持ベルト２０と、を有する。【選択図】図１
0003226573.tif 000002
【実用新案登録請求の範囲】
【請求項１】
少なくとも１対の平行な巻取用芯部を有する本体と、
前記本体に取り付けられ、前記巻取用芯部の延在方向に沿った方向に延びる保持ベルトと、を有すること
を特徴とする帯状体保持具。
【請求項２】
１対の平行な第１巻取用芯部と、前記第１巻取用芯部の延在方向と直交する方向に延在する１対の平行な第２巻取用芯部と、を有する本体と、
前記本体に取り付けられ、前記第１巻取用芯部又は前記第２巻取用芯部の延在方向に沿った方向に延びる保持ベルトと、を有すること
を特徴とする帯状体保持具。
【請求項３】
前記保持ベルトは、前記第１巻取用芯部の延在方向に沿った方向、及び、前記第２巻取用芯部の延在方向に沿った方向のいずれにも変更可能に前記本体に取り付けられていることを特徴とする請求項２に記載の帯状体保持具。
【請求項４】
前記第１巻取用芯部の長さは、前記第２巻取用芯部の長さよりも長く設定されていることを特徴とする請求項２又は請求項３に記載の帯状体保持具。
【請求項５】
前記保持ベルトは、両面に面ファスナーを有することを特徴とする請求項１乃至請求項４のうち、いずれか１に記載の帯状体保持具。
【請求項６】
前記保持ベルトには、筒状体が挿通されていることを特徴とする請求項１乃至請求項５のうち、いずれか１に記載の帯状体保持具。
【考案の詳細な説明】
【技術分野】
【０００１】
本考案は、帯状体保持具に関し、特に、リュックサックのショルダーストラップなどの余った帯状体をまとめて保持しておくことが可能な帯状体保持具に関する。
【背景技術】
【０００２】
一般的に、リュックサックのショルダーストラップ（ショルダーハーネスとも言う。）は、使用者の体格に合わせて長さを調節できるように構成されているものが多く知られている。より具体的には、このようなショルダーストラップは、リュックサック本体の上側から延びる幅広でバッド付きの一対の上部ベルトと、リュックサック本体の下側から延びる帯状の一対の下部ベルトとからなり、上部ベルトの端部に設けられたバックルに下部ベルトを挿通可能とされており、下部ベルトをバックルに挿通する長さを変更することで、使用者ごとにショルダーストラップの長さを調節することができるようになっている。
【０００３】
このようなショルダーストラップによると、前述の長さを調節した結果として、下部ベルトの余り部分が長くなることがある。下部ベルトの余り部分が長すぎると、意図しないところに下部ベルトがひっかかりやすく、また、見栄えも悪いという問題がある。
【０００４】
このような問題を解決するものとして、例えば特許文献１に記載のような技術が提案されている。特許文献１に記載の発明は、リュックサックの平紐を巻き付けて留める平紐巻付留具に関するものである。
【先行技術文献】
【特許文献】
【０００５】
【特許文献１】特開２０１９−２０５７３３号公報
【考案の概要】
【考案が解決しようとする課題】
【０００６】
しかしながら、特許文献１に記載の平紐巻付留具によると、平紐を一巻きする度に、平紐を出入口部（切欠き部）に通さなければならず、巻き付け作業が煩雑なものであった。また、平紐を特許文献１に記載の平紐巻付留具に堅固に巻き付けても、その状態を保持しておく手段がないため、巻き付けた平紐が緩むおそれがあった。
【０００７】
そこで、本考案は、簡易な構成のために製造が容易であり、帯状体を極めて容易にまとめて堅固に保持しておくことが可能な帯状体保持具を提供することを目的とする。
【課題を解決するための手段】
【０００８】
上記の目的を達成するために、本考案の帯状体保持具は、少なくとも１対の平行な巻取用芯部を有する本体と、前記本体に取り付けられ、前記巻取用芯部の延在方向に沿った方向に延びる保持ベルトと、を有することを特徴とする。
【０００９】
また、本考案の帯状体保持具は、１対の平行な第１巻取用芯部と、前記第１巻取用芯部の延在方向と直交する方向に延在する１対の平行な第２巻取用芯部と、を有する本体と、前記本体に取り付けられ、前記第１巻取用芯部又は前記第２巻取用芯部の延在方向に沿った方向に延びる保持ベルトと、を有することを特徴とする。
【００１０】
また、本考案の帯状体保持具において、前記保持ベルトは、前記第１巻取用芯部の延在方向に沿った方向、及び、前記第２巻取用芯部の延在方向に沿った方向のいずれにも変更可能に前記本体に取り付けられていることを特徴とする。
【００１１】
また、本考案の帯状体保持具において、前記第１巻取用芯部の長さは、前記第２巻取用芯部の長さよりも長く設定されていることを特徴とする。
【００１２】
また、本考案の帯状体保持具において、前記保持ベルトは、両面に面ファスナーを有することを特徴とする。
【００１３】
また、本考案の帯状体保持具において、前記保持ベルトには、筒状体が挿通されていることを特徴とする。
【考案の効果】
【００１４】
本考案に係る帯状体保持具によれば、簡易な構成のために製造が容易であり、帯状体を極めて容易にまとめて堅固に保持しておくことができる。
【図面の簡単な説明】
【００１５】
【図１】本考案の第１実施形態に係る帯状体保持具を模式的に示す図であり、（ａ）は平面図、（ｂ）はＡ−Ａ線断面図である。
【図２】本考案の第１実施形態に係る帯状体保持具の本体の向きを変更した状態を示す平面図である。
【図３】本考案の第１実施形態に係る帯状体保持具により帯状体を保持する工程を示す図である。
【図４】本考案の第１実施形態に係る帯状体保持具により帯状体を保持する工程を示す図である。
【図５】本考案の第１実施形態の変形例に係る帯状体保持具を模式的に示す図であり、（ａ）は平面図、（ｂ）は帯状体保持具の本体の向きを変更した状態を示す平面図である。
【図６】本考案の第２実施形態に係る帯状体保持具を模式的に示す図であり、（ａ）は平面図、（ｂ）は帯状体を巻き始めるときの状態を示す図である。
【考案を実施するための形態】
【００１６】
＜第１実施形態＞
図１及び図２を参照して、本考案の実施形態に係る帯状体保持具について説明する。図１は、本考案の第１実施形態に係る帯状体保持具を模式的に示す図であり、（ａ）は平面図、（ｂ）はＡ−Ａ線断面図、図２は、本考案の第１実施形態に係る帯状体保持具の本体の向きを変更した状態を示す平面図である。
【００１７】
本実施形態に係る帯状体保持具は、従来の一般的なリュックサックのショルダーストラップなどの余った帯状体を巻き付けて堅固に保持することにより、帯状体の余り部分が長すぎることに起因する、意図しないところへのひっかかりや、見栄えの向上を図ることができるものである。
【００１８】
なお、本考案に係る帯状体保持具は、リュックサックのショルダーストラップへの利用に限定されるものではなく、チャイルドシートなどのショルダーストラップをはじめ、様々な帯状体の巻取り及び保持のために利用できるものであることは言うまでもない。
【００１９】
図１に示すように、本考案の実施形態に係る帯状体保持具１は、少なくとも１対の平行な巻取用芯部１１、１１を有する本体１０と、本体１０に取り付けられ、巻取用芯部１１、１１の延在方向（図１に示すＸ方向）に沿った方向に延びる保持ベルト２０と、を有する。本考案において巻取用芯部とは、後述するように、リュックサックのショルダーストラップなどの余った帯状体を巻取るための芯材となる部位である。
【００２０】
図１に示すように、本体１０は、一例として、金属製の棒状部材を矩形枠状に折り曲げ加工して形成されたり、樹脂成型品として矩形枠状に形成されてなる。但し、本考案において、本体１０は少なくとも１対の平行な巻取用芯部１１、１１を有すればよいため、本体１０の素材や形状はこれに限定されるものではない。
【００２１】
本実施形態に係る帯状体保持具１の本体１０は、矩形枠状に形成しているため、巻取用芯部１１、１１に加えて更にもう１対の平行な巻取用芯部１２、１２を有する。即ち、帯状体保持具１は、１対の平行な巻取用芯部（第１巻取用芯部）１１、１１と、巻取用芯部１１、１１の延在方向（図１に示すＸ方向）と直交する方向（図１に示すＹ方向）に延在する１対の平行な巻取用芯部（第２巻取用芯部）１２、１２と、を有する本体１０と、本体１０に取り付けられて、巻取用芯部１１、１１又は巻取用芯部１２、１２の延在方向に沿った方向に延びる保持ベルト２０と、を有する構成となっている。
【００２２】
本体１０における巻取用芯部（第１巻取用芯部）１１、１１の長さＬ１は、巻取用芯部（第２巻取用芯部）１２、１２の長さＬ２よりも長く設定されている（図２参照）。Ｌ１、Ｌ２のそれぞれの寸法は限定されるものではないが、一例としては、長さＬ１は、約４０ｍｍ幅の帯状体を巻き取るのに好適な長さ（およそ４０ｍｍ〜４５ｍｍの範囲内）、長さＬ２は、約２０ｍｍ〜２５ｍｍ幅の帯状体を巻き取るのに好適な長さ（およそ２０ｍｍ〜３０ｍｍの範囲内）に設定する。
【００２３】
図１に示すように、保持ベルト２０は、巻取用芯部１１、１１の延在方向（図１に示すＸ方向）に沿った方向に延びるように本体１０に取り付けられている。図１（ａ）に示す例では、保持ベルト２０は、本体１０のうち巻取用芯部１２に取り付けられている。
【００２４】
保持ベルト２０の本体１０への取付方法は特に限定されないが、一例としては、図１（ｂ）に示すように、保持ベルト２０の端部を、矩形枠状でなる本体１０に挿通した後、巻取用芯部１２を挟みながら所定長さだけ折り返し、当該端部を縫い合わせればよい。又は、保持ベルト２０の端部を所定長さだけ折り返して縫い合わせて筒状部を形成しておき、矩形枠状でなる本体１０の間隙１３から、保持ベルト２０の前記筒状部に本体１０を通すことにより、本体１０に保持ベルト２０を取り付けてもよい。
【００２５】
これにより、保持ベルト２０は、巻取用芯部（第１巻取用芯部）１１、１１の延在方向に沿った方向（図１に示すＸ方向）に延びるように、及び、巻取用芯部（第２巻取用芯部）１２、１２の延在方向（図１に示すＹ方向）に沿った方向に延びるように、いずれにも変更し得るよう本体１０に取り付けられている。例えば、図１（ａ）に示すように、保持ベルト２０が巻取用芯部１２に取り付けられた状態から、本体１０を時計回りに９０度回転させることにより、図２に示すように、保持ベルト２０が巻取用芯部１１に取り付けられた状態へと変更することが可能である。これにより、帯状体保持具１は、幅が広い帯状体を巻き付けるときには図１（ａ）に示す状態とし、幅が狭い帯状体を巻き付けるときには図２に示す状態として用いることができ、帯状体の幅に適した２通りの使い方を実現できるという効果がある。
【００２６】
保持ベルト２０は、両面に面ファスナーを有することが好適である。一例としては、保持ベルト２０の一方の面２０ａには、多数のカギ状の突起を有するフック面（オス面又はＡ面とも言う。）、保持ベルト２０の他方の面２０ｂには、丸い輪状の繊維が多数織り込まれたループ面（メス面又はＢ面とも言う。）を設ける。特に、保持ベルト２０として、表面がフック面、裏面がループ面になっており、巻くだけで係合する結束タイプの面ファスナーを用いるのが好適である。
【００２７】
保持ベルト２０には、筒状体３０が挿通されており、保持ベルト２０の長さ方向（図１に示すＸ方向）に摺動可能である。筒状体３０の表面には、一例として、氏名などの文字や、図形や模様を表示しておけば、所有者の目印又はワンポイントとなり、あるいは、夜間でも視認しやすい反射シールなどを貼付しておけば、安全対策として有効となるので、好適である。
【００２８】
次に、図３及び図４を参照して、帯状体保持具１による帯状体の巻取り及び保持する工程を説明する。図３及び図４は、本考案の第１実施形態に係る帯状体保持具により帯状体を保持する工程を示す図である。
【００２９】
図３（ａ）に示すように、リュックサックのショルダーストラップなどの余った帯状体６０が、幅の広いタイプである場合は、保持ベルト２０が巻取用芯部１２に取り付けられた状態の帯状体保持具１を用いる。
【００３０】
図３（ａ）に示すように、まずは、帯状体６０の端部６０ａ近傍を、帯状体保持具１の巻取用芯部１１、１１の延在方向（図３に示すＸ方向）と直交させ、重ねて配置する。そして、巻取用芯部１１を挟むようにしながら、図３（ａ）の矢印方向に帯状体６０の端部６０ａを折り返す。
【００３１】
次に、図３（ｂ）に示すように、２つの巻取用芯部１１、１１に対して巻き付ける要領で、帯状体６０を矢印方向に向かって順次巻き上げる。これを、帯状体６０のたるみがなくなるまで繰り返す。
【００３２】
次に、図３（ｃ）に示すように、巻取用芯部１２を軸にして、矢印方向に向かって保持ベルト２０を回動させ、帯状体６０が巻き付けられている本体１０に重ねる。
【００３３】
更に、図４（ａ）の矢印方向に向かって、保持ベルト２０の自由端側を巻取用芯部１２で折り返す。
【００３４】
最後に、図４（ｂ）に示すように、保持ベルト２０の自由端側の余り部分を、矢印方向に向かって巻き付けるように重ねて、保持ベルト２０の一方の面２０ａを他方の面２０ｂに固着させる。
【００３５】
上述した通り、保持ベルト２０は面ファスナーを有するため、保持ベルト２０の端部は、保持ベルト２０の面２０ｂのどこにでも固着可能であり（図４（ｃ）参照）、何らの長さ調節の必要もなく、保持ベルト２０を巻くという極めて容易な動作だけで、帯状体６０が堅固に保持され得る。
【００３６】
特に、帯状体６０がリュックサックの下部ベルトである場合には、リュックサックを繰り返し着用する間に下部ベルトがバックルを徐々にすり抜けてしまい、ショルダーストラップの長さを再調整しなければならない問題があったが、本考案に係る帯状体保持具１によって下部ベルト（帯状体）の余り部分を巻取り、堅固に保持しておくことにより、前記のような問題を防止できるという効果がある。
【００３７】
なお、帯状体６０が幅の狭いタイプである場合は、保持ベルト２０が巻取用芯部１１に取り付けられた状態の帯状体保持具１（図２参照）を用い、上記と同様にして帯状体６０を巻取り及び保持すればよいことは言うまでもない。
【００３８】
＜変形例＞
次に、本考案の本実施形態に係る帯状体保持具１の変形例について図５を参照して説明する。図５は、本考案の第１実施形態の変形例に係る帯状体保持具を模式的に示す図であり、（ａ）は平面図、（ｂ）は帯状体保持具の本体の向きを変更した状態を示す平面図である。以下に説明する本実施形態の変形例は、本体の形状の変形例であり、上記実施形態と同様の構成については同一の符号を付して詳細な説明は省略する。
【００３９】
上記実施形態に係る帯状体保持具１の本体１０は矩形枠状であったのに対して、本考案の本実施形態に係る変形例である帯状体保持具１００の本体１０ａは、図５（ａ）に示すように、プレート状に形成されており、略コ字状の貫通部１５が設けられている。本体１０ａは、一例として、木製の他、樹脂成型品として容易に製造し得るが、本体１０ａの素材や形状はこれに限定されるものではない。
【００４０】
保持ベルト２０は、貫通部１５に挿通されて、本体１０ａに取り付けられている。これにより、保持ベルト２０は、巻取用芯部（第１巻取用芯部）１１、１１の延在方向に沿った方向（図５に示すＸ方向）に延びるように、及び、巻取用芯部（第２巻取用芯部）１２、１２の延在方向に沿った方向（図５に示すＹ方向）に延びるように、いずれにも変更し得るよう本体１０ａに取り付けられている。例えば、図５（ａ）に示すように、保持ベルト２０が巻取用芯部１２に取り付けられた状態から、本体１０ａを時計回りに９０度回転させることにより、図５（ｂ）に示すように、保持ベルト２０が巻取用芯部１１に取り付けられた状態へと変更することが可能である。かかる構成による本体１０ａを有する帯状体保持具１００によっても、第１実施形態に係る帯状体保持具１同様、帯状体の幅に適した２通りの使い方を実現できるという効果がある。
【００４１】
＜第２実施形態＞
本考案の第２実施形態に係る帯状体保持具２００について、図６を参照して説明する。図６は、本考案の第２実施形態に係る帯状体保持具を模式的に示す図であり、（ａ）は平面図、（ｂ）は帯状体を巻き始めるときの状態を示す図である。以下に説明する第２実施形態は、第１実施形態に係る帯状体保持具１との比較において本体の形状のみが異なるものであり、第１実施形態と同様の構成については同一の符号を付して詳細な説明は省略する。
【００４２】
図６（ａ）に示すように、第２実施形態に係る帯状体保持具２００の本体１０ｂは、一例として、金属製の棒状部材を略コ字状に折り曲げ加工して形成されたり、樹脂成型品として略コ字状に形成されてなる。但し、本考案において、本体１０ａは少なくとも１対の平行な巻取用芯部１１、１１を有すればよいため、本体１０ａの素材や形状はこれに限定されるものではない。
【００４３】
このように、少なくとも１対の平行な巻取用芯部１１、１１を有する本体１０ｂを備えれば、第１実施形態に係る帯状体保持具１と同様に帯状体を巻取り及び保持することができ（図３及び図４参照）、簡易な構成のために製造が容易であり、帯状体を極めて容易にまとめて堅固に保持しておくことができる。
【００４４】
また、帯状体６０は、端部６０ａを折り返して縫い合わされている場合も多く、この場合には、図６（ｂ）に示すように、一方の巻取用芯部１１を帯状体６０の端部６０ａの筒状部に挿通してから、２つの巻取用芯部１１、１１に対して巻き付ける要領で、帯状体６０を矢印方向に向かって順次巻き上げることができる。即ち、一方の巻取用芯部１１を帯状体６０の端部６０ａに確実に係合させることができるため、帯状体保持具２００によれば、帯状体６０を極めて容易に堅固に保持しておくことができる。
【００４５】
本考案について上記実施形態を参照しつつ説明したが、本考案は上記実施形態及び変形例に限定されるものではなく、改良の目的または本考案の思想の範囲内において改良または変更が可能である。
【符号の説明】
【００４６】
１      帯状体保持具
１０      本体
１０ａ    本体
１０ｂ    本体
１１      巻取用芯部（第１巻取用芯部）
１２      巻取用芯部（第２巻取用芯部）
１３      間隙
１５      貫通部
２０      保持ベルト
２０ａ    面
２０ｂ    面
３０      筒状体
６０      帯状体
６０ａ    端部
１００      帯状体保持具
２００      帯状体保持具
Ｌ１      長さ（第１巻取用芯部の長さ）
Ｌ２      長さ（第２巻取用芯部の長さ）
【図１】
0003226573.tif 000003
【図２】
0003226573.tif 000004
【図３】
0003226573.tif 000005
【図４】
0003226573.tif 000006
【図５】
0003226573.tif 000007
【図６】
0003226573.tif 000008